(57)【要約】【課題】透光性パネルを反射面に平行な方向に移動させるだけで透光性パネルを本体に着脱できるようにし、透光性パネルを本体に取り付ける作業を容易かつ安全にする。【解決手段】本体１の周囲に全周にわたって一体的に装着した枠体２の底面から、周方向における等間隔の４箇所に３個の支柱１３と１個の支柱１４とを、本体１の下面よりも所定量だけ下方に延出して取り付けた。３個の支柱１３のそれぞれの下端部に本体側支持部材５を固定し、支柱１４の下端部にパネル３の周縁部の一部に固定されたパネル側支持部材６を着脱自在にした。本体１に対してパネル３を水平方向に移動させると、本体側支持部材５の嵌入部５Ａにパネル３の周縁部が嵌入し、パネル３は、周縁部の４箇所において本体側支持部材５及びパネル側支持部材６を介して支持される。【選択図】図１
2006019117.tif 000002
【特許請求の範囲】
【請求項１】
本体の取付面が対向する被取付面に取り付けられ、前記本体における前記取付面と異なる反射面に露出した光源を透光性パネルによって被覆する照明装置において、
前記透光性パネルの周縁部の一部が反射面に平行な方向に嵌入する嵌入部を備えた本体側支持部材を、前記反射面に直交する方向に所定長さだけ延出させて設けたことを特徴とする照明器具。
【請求項２】
前記透光性パネルにその周縁部を透光性パネルの厚さ方向に挟持する少なくとも１つのパネル側支持部材を固定し、前記透光性パネルの周縁部が前記本体側支持部材の嵌入部に嵌入する位置で前記パネル側支持部材が前記本体の反射面に平行な方向に選択的に係合する係合部材を前記本体の反射面に固定したことを特徴とする請求項１に記載の照明器具。
【請求項３】
前記係合部材は、前記パネル側支持部材において前記透光性パネルのパネル面に平行に延出したピンが嵌合する凹部を備えたことを特徴とする請求項２に記載の照明器具。
【発明の詳細な説明】
【技術分野】
【０００１】
本発明は、屋内の天井面等の被取付面に本体の取付面を対向させて取り付けられるシーリングライト等の照明器具に関し、特に、取付面と異なる反射面に光源及び透光性パネルを配置し、光源の光を透光性パネルを介して配光する照明器具に関する。
【背景技術】
【０００２】
屋内の天井面に取り付けられるシーリングライト等の照明器具は、天井面等の被取付面に対向する取付面、及び、光源が露出する反射面を本体における互いに反対側の面に構成し、本体の反射面側に透光性パネルを備えている。この種の照明器具を被取付面に取り付けた後に光源を交換するためには、本体の反射面側を開放して光源を露出させる必要がある。このため、照明器具において、透光性パネルは本体の反射面に着脱自在に備えられている。
【０００３】
一方、透光性パネル及び光源が備えられる本体の反射面側においては、塵埃や虫の侵入により照度の低下や故障の発生を招く。このため、従来の照明器具において透光性パネルには、本体の反射面側を被覆する機能が要求されていた。
【０００４】
そこで、従来の照明器具では、本体の反射面の周縁部の複数の位置に係止爪を備えるとともに、グローブと呼ばれる透光性パネルの周縁部の複数の位置に、突出部が形成された金具を備え、係止爪に金具の突出部を回転方向に係合させることによって本体に対してグローブを着脱できるようにされている（例えば、特許文献１参照。）。
【０００５】
このように、係止爪と金具の突出部とを回転方向に係合させてグローブを本体に着脱する従来の照明器具において、被取付面への取付時、光源の交換後又は内部の清掃後等にグローブを本体に取り付ける際には、本体の反射面側からグローブを本体に接近させ、グローブに備えられた複数の金具の突出部のそれぞれを本体の反射面に備えられた複数の係止爪のそれぞれの開口部に対向させた後、グローブを反射面に平行な面内で回転させて各係止爪に各金具の突出部を係合させる。
【０００６】
グローブは、透光性の部材のみで構成されるものの他、透光性パネルの周囲に枠体を固定したものがある。枠体を備えたグローブでは、係止爪に係合する金具を枠体に設けている。
【特許文献１】特開２００２−２４５８３６号公報
【発明の開示】
【発明が解決しようとする課題】
【０００７】
しかしながら、従来の照明器具では、グローブ等の透光性パネルを本体に取り付ける際に、透光性パネルを、一旦、反射面側から本体に接近させた後に、本体に対して透光性パネルを反射面に平行な面内で回転させなければならず、作業が煩雑になる問題がある。また、本体に対して透光性パネルを回転させる前に、透光性パネルに備えられた複数の金具の突出部のそれぞれを本体の反射面に備えられた複数の係止爪のそれぞれの開口部に対向させておかなければならないが、通常、透光性パネルの外側面に対向する位置にいる作業者は係止爪及び金具を視認することができず、作業が困難になる問題がある。特に、天井面に取り付けられる照明器具では、透光性パネルの着脱作業が困難であると、作業を安全に行うことができない。
【０００８】
この発明の目的は、透光性パネルを反射面に平行な方向に移動させるだけで透光性パネルを本体に着脱できるようにし、透光性パネルを本体に取り付ける作業を容易かつ安全に行うことができる照明器具を提供することにある。
【課題を解決するための手段】
【０００９】
この発明の照明器具は、上記の課題を解決するための手段として、以下の構成を備えたものである。
【００１０】
（１）本体の取付面が対向する被取付面に取り付けられ、前記本体における前記取付面と異なる反射面に露出した光源を透光性パネルによっ被覆する照明装置において、
前記透光性パネルの周縁部の一部が反射面に平行な方向に嵌入する嵌入部を備えた本体側支持部材を、前記反射面に直交する方向に所定長さだけ延出させて設けたことを特徴とする。
【００１１】
この構成においては、本体の反射面から所定長さだけ離間した位置で透光性パネルを反射面に平行な方向に移動させることにより、透光性パネルの周縁部が反射面から延出した本体側支持部材の嵌入部に対して嵌入又は離脱する。したがって、透光性パネルを反射面に平行な方向に移動させるだけで、透光性パネルが本体に着脱される。
【００１２】
（２）前記透光性パネルにその周縁部をパネルの厚さ方向に挟持する少なくとも１つのパネル側支持部材を固定し、前記透光性パネルの周縁部が前記本体側支持部材の嵌入部に嵌入する位置で前記パネル側支持部材が前記本体の反射面に平行な方向に選択的に係合する係合部材を前記本体の反射面に固定したことを特徴とする。
【００１３】
この構成においては、透光性パネルの周縁部を本体側支持部材の嵌入部に嵌入させると、透光性パネルの周縁部を透光性パネルの厚さ方向に挟持する少なくとも１つのパネル側支持部材が、反射面に設けられた係合部材に、本体の反射面に平行な方向に選択的に係合する。したがって、透光性パネルは、その周縁部の本体側支持部材の嵌入部への嵌入、及び、パネル側支持部材の係合部材との係合により、周縁部の複数の位置で反射面に直交する方向の位置を規定される。
【００１４】
（３）前記係合部材は、前記パネル側支持部材において前記透光性パネルのパネル面に平行に延出したピンが嵌合する凹部を備えたことを特徴とする。
【００１５】
この構成においては、透光性パネルの周縁部を本体側支持部材の嵌入部に嵌入させた状態で、パネル側支持部材において透光性パネルのパネル面に平行に延出したピンが係合部材の凹部に嵌合する。したがって、透光性パネルはパネル側支持部材が固定された部分で本体の反射面に確実に位置決めされる。
【発明の効果】
【００１６】
この発明の照明器具によれば、以下の効果を奏することができる。
【００１７】
（１）透光性パネルを反射面に平行な方向に移動させるだけで、透光性パネルを本体に対して着脱することができ、透光性パネルを本体に取り付ける作業を容易かつ安全に行うことができる。
【００１８】
（２）透光性パネルの周縁部の本体側支持部材の嵌入部への嵌入、及び、パネル側支持部材の係合部材との係合により、周縁部の複数の位置で反射面に直交する方向の透光性パネルの位置を規定することができ、透光性パネルを本体の所定の位置に確実に取り付けることができる。
【００１９】
（３）透光性パネルをパネル側支持部材が固定された部分で本体の反射面に確実に位置決めすることができ、透光性パネルを本体の所定の位置に、より確実に取り付けることができる。
【発明を実施するための最良の形態】
【００２０】
図１は、本発明の実施形態の一例である照明器具の半断面側面図である。照明器具１０は、被取付面である天井面１００に取り付けられるシーリングライトである。照明器具１０は、大きくは、本体１、枠体２及び透光性パネル（以下、単にパネルという。）３から構成される。本体１は、外側の上面である取付面１Ａを天井面１００に対向させて、取付器具１１を介して天井面１００に取り付けられる。本体１は、内側の上面である反射面１Ｂの下方にコネクタ１２を介して、一例としてサークルランプである光源４Ａ，４Ｂを備えている。本体１の下面は下方に開放しており、光源４Ａ，４Ｂは本体１の下側に露出している。なお、本体１において、内側の上面である反射面１Ｂは、外側の上面である取付面１Ａの反対側に配置されている。
【００２１】
本体１の周囲には、全周にわたって枠体２が一体的に装着されている。枠体２は、本体１の周囲に全周にわたって対向する無端状に形成されている。枠体２の底面からは、周方向における等間隔の４箇所に３個の支柱１３と１個の支柱１４とが、本体１の下面よりも所定量だけ下方に延出して取り付けられている。３個の支柱１３のそれぞれの下端部には、本体側支持部材５が固定されている。この発明の係合部材である支柱１４の下端部には、パネル３の周縁部の一部に固定されたパネル側支持部材６が着脱自在にされている。
【００２２】
図２（Ａ）及び（Ｂ）は、上記照明器具に備えられる本体側支持部材及びパネル側支持部材の構成を示す断面図である。本体側支持部材５は、外装本体５Ｂ及び外装蓋体５Ｃ内に取付金具１５を収納して構成されている。外装本体５Ｂ及び外装蓋体５Ｃは、それぞれ木ネジ１６及び止めネジ１７を介して取付金具１５に取り付けられる。外装蓋体５Ｃには、固定用孔３１、工具孔３２及びネジ孔３３が形成されている。本体側支持部材５は、一例として略直方体形状を呈し、嵌入部５Ａが外側面、上面及び底面を除く３面に開放している。各本体側支持部材５の嵌入部５Ａには、パネル３の周縁部が本体１の反射面１Ｂに平行な方向である水平方向に嵌入する。
【００２３】
本体側支持部材５は、枠体２の底面から下方に延出した支柱１３の下端部に固定ボルト２４を介して固定されている。固定ボルト２４は、本体側支持部材５の内部から外装蓋体５Ｃを経由して上方に延出し、支柱１３の内部に形成されたネジ孔に螺合する。固定ボルト２４において支柱１３の上方に突出した部分に、支柱１３の上端面との間に枠体２を挟んで固定ナット２５が締結される。
【００２４】
パネル側支持部材６は、外装本体５Ｂ及び外装蓋体５Ｃ内に取付金具１５を収納して構成されている。したがって、パネル側支持部材６は、外観上は本体側支持部材５と同一であり、一例として略直方体形状を呈し、嵌入部６Ａが外側面、上面及び底面を除く３面に開放している。パネル側支持部材６の嵌入部６Ａには、パネル３の周縁部の一部が水平方向に嵌入している。外装本体５Ｂ及び外装蓋体５Ｃは、段付き木ネジ１８を介して一体的に固定された状態でパネル３の周縁部の一部に取り付けられる。取付金具１５は、パネル側支持部材６内に本体側支持部材５とは上下反対にして収納される。取付金具１５には、固定ネジ１９を介して支持棒６Ｄが固定されている。支持棒６Ｄは、パネル側支持部材６の内部から固定用孔３１を貫通して蓋体５Ｃの上方に露出している。支持棒６Ｄの上端部には、ピン２０が水平方向に突出している。
【００２５】
枠体２の底面から下方に露出した支柱１４の下端部には、凹部２１が形成されている。凹部２１には、パネル側支持部材６の支持棒６Ｄから突出したピン２０が、水平方向に嵌入する。これによって、支柱１４の下端部にパネル側支持部材６が固定される。枠体２の内部において支柱１４にはストッパ２２の上端部がコイルバネ２３とともに外嵌しており、ストッパ２２はコイルバネ２３の弾性力によって下方に付勢されている。ストッパ２２の下端部は、枠体２の底面の下方において支柱１４の外側に対向して露出しており、支柱１４の孔部２１にピン２０が嵌入した状態で支持棒６Ｄの外側面に当接する。この当接によって、凹部２１に対するピン２０の嵌入状態が維持される。
【００２６】
図３（Ａ）〜（Ｄ）は、上記照明器具に用いられる取付金具の平面図、側面図、底面図及び正面図である。本体側支持部材５及びパネル側支持部材６の内部に収納される取付金具１５は、金属製の板材をプレス加工によって略コの字断面形状に形成したものである。取付金具１５の上面１５Ａには、工具孔４１及び貫通孔４２が形成されている。取付金具１５の底面１５Ｂには、Ｄ型孔４３、工具孔４４及びネジ孔４５が形成されている。
【００２７】
工具孔４１及びＤ型孔４３は同心上に形成されており、本体側支持部材５及びパネル側支持部材６の外装蓋体５Ｃに形成された固定用孔３１に対向する。貫通孔４２及び工具孔４４は同心上に形成されており、本体側支持部材５及びパネル側支持部材６の外装蓋体５Ｃに形成された工具孔３２に対向する。ネジ孔４５は、本体側支持部材５の外装蓋体５Ｃに形成されたネジ孔３３に対向する。
【００２８】
取付金具１５は、底面１５Ｂを上側に、上面１５Ａを下側にして、本体側支持部材５内に収納される。本体側支持部材５内に収納された取付金具１５の底面１５Ｂに形成されたＤ型孔４３、工具孔４４及びネジ孔４５は、それぞれ固定用孔３１、工具孔３２及びネジ孔３３に対向する。
【００２９】
本体側支持部材５を図２（Ａ）に示す状態に組み立てる際には、まず、取付金具１５の上面１５Ａの外側から工具孔４１を経由してＤ型孔４３に固定ボルト２４を貫通させ、底面１５Ｂの外側において固定ボルト２４に支柱１３を螺合させる。次いで、取付金具１５の上面１５Ａの外側面に外装本体５Ｂを位置させた状態で、木ネジ１６を取付金具１５の底面１５Ｂの外側から工具孔４４を経由して貫通孔４２に貫通させて外装本体５Ｂに螺着し、外装本体５Ｂを取付金具１５に取り付ける。この後、支柱１３が固定用孔３１を貫通するようにして外装蓋体５Ｃを取付金具１５の底面１５Ｂの外側に配置し、止めネジ１７をネジ孔３３及びネジ孔４５に順に螺合させ、外装蓋体５Ｃを取付金具１５に取り付ける。
【００３０】
パネル側支持部材６を図２（Ｂ）に示す状態に組み立てる際には、まず、取付金具１５の上面１５Ａと底面１５Ｂとの間に、パネル３の周縁部の一部を嵌入させる。次に、支持棒６Ｄを、その下端面が取付金具１５の上面１５Ａの外側から工具孔４１及びパネル３の貫通孔３Ｂを経由して底面１５Ｂの内側面に達するまで挿入する。さらに、支持棒６Ｄを回転させて、支持棒６Ｄの内部に形成されたネジ穴に底面１５ＢのＤ型孔４３を外側から貫通した固定ボルト１９に螺合させ、支持棒６Ｄを取付金具１５に固定する。この後、取付金具１５の上面１５Ａの外側及び底面１５Ｂの外側に、それぞれ外装蓋体５Ｃ及び外装本体５Ｂを配置し、段付き木ネジ１８を外装蓋体５Ｃの外側から外装蓋体５Ｃの工具孔３２、取付金具１５の上面１５Ａの貫通孔４２、パネル３の貫通孔３Ａ及び取付金具１５の底面１５Ｂの工具孔４４に順に貫通させた後、外装本体５Ｂの内側面に螺着させ、外装本体５Ｂ及び外装蓋体５Ｃを取付金具１５に一体的に固定した状態でパネル３の周縁部の一部に取り付ける。これによって、パネル側支持部材６は、パネル３の周縁部の一部をパネル３の厚さ方向に挟持する。
【００３１】
以上のように、本体側支持部材５及びパネル側支持部材６において、同一の取付金具１５を互いに上下方向に反対にして収納し、本体側支持部材５及びパネル側支持部材６を一体にしている。このため、単一の形状の取付金具１５を本体側支持部材５とパネル側支持部材６とに共用することができ、準備すべき部品点数を削減することができる。
【００３２】
図４は、上記照明装置におけるパネルの着脱作業の状態を順に説明する図である。なお、図４（Ｂ）及び（Ｃ）において、パネル側支持部材６の嵌入部６Ａに嵌入しているパネル３は、説明上、図示を省略している。
【００３３】
本体１の下面側である反射面１Ｂ側にパネル３を装着する場合には、図４（Ａ）に示すように、本体１の下端面よりも所定量だけ下方において、パネル３を、その上面が反射面１Ｂに対向しない位置で、かつ、周方向における本体側支持部材５が配置されていない位置から、その上面が反射面１Ｂに対向する位置に向けて、反射面１Ｂに平行な水平方向に移動させる。このとき、互いに対向する２個の本体側支持部材５の嵌入部５Ａにパネル３の周縁部を嵌入させる。
【００３４】
パネル３の水平方向に移動により、図４（Ｂ）に示すように、パネル側支持部材６が枠体２の底面から下方に露出した支柱１４に近接する。このとき、少なくとも互いに対向する２つの本体側支持部材５の両方の嵌入部５Ａにパネル３の周縁部が嵌入しており、パネル３は作業者の一方の手で保持することができる。そこで、作業者の他方の手によってコイルバネ２３の弾性力に抗してストッパ２２を上方に押し上げ、パネル側支持部材６の支持棒６Ｄから水平方向に延出しているピン２０を支柱１４の凹部２１に嵌入させる。凹部２１に対するピン２０の嵌入により、パネル側支持部材６が支柱１４によって支持される。このとき、パネル側支持部材６が対向する本体側支持部材５の嵌入部５Ａにもパネル３の周縁部が嵌入し、パネル３は周縁部の４箇所で上下方向に保持される。
【００３５】
また、作業者の手をストッパ２２から離すと、ストッパ２２は下方に移動して支持棒６Ｄの外側面に当接し、コイルバネ２３の弾性力によってこの状態が維持される。したがって、パネル３は、周縁部の４箇所で水平方向の移動を確実に規制される。
【００３６】
本体１からパネル３を取り外す際には、図４（Ｃ）に示すように、作業者の一方の手でコイルバネ２３の弾性力に抗してストッパ２２を上方に押し上げた状態で、支持棒６Ｄの外側面を開放し、作業者の他方の手でパネル３の周縁部の一部を把持し、図４（Ｄ）に示すように、パネル３を反射面１Ｂの下方に対向する位置から水平方向に引き出す。
【００３７】
このように、本体１に対してパネル３を水平方向に移動させるだけで、本体１に対してパネル３を着脱することができ、パネル３を上下方向に移動させる必要がない。また、パネル３を支持する本体側支持部材５の一部が、パネル３の着脱作業中において常時パネル３の下方に位置しており、作業者は本体側支持部材５の配置位置を視認しながら着脱作業を行うことができる。これらのことから、本体１に対するパネル３の着脱作業を極めて容易かつ安全に行うことができる。
【００３８】
なお、上記の例では、本体側支持部材５を３個配置したが、これに限定されるものではなく、２個の本体側支持部材５と１個のパネル側支持部材６とをパネル３の周縁部の周方向における等間隔の３箇所に配置してもよい。但し、本体側支持部材５及びパネル側支持部材６を、パネル３の周縁部の周方向における等間隔の５箇所以上の位置に配置した場合には、パネル３を水平方向に挿脱することができなくなる。
【００３９】
また、上記の例では、照明装置１０を平面視において円形に形成しているが、平面視において矩形を呈する照明装置１０においてもこの発明を同様に実施することができる。この場合において、それぞれ単一の本体側支持部材及びパネル側支持部材を、矩形のパネルにおける互いに対向する２側面のみに対向するようにして配置することもできる。
【００４０】
さらに、上記の例では、天井面に取り付けられるシーリングライトを例に挙げて説明したが、被取付面を垂直方向の壁面とする照明器具についてもこの発明を同様に実施できる。また、照明器具において、パネル面が水平方向に配置されるか垂直方向に配置されるかを問わず、パネル面に平行な方向にのみパネルを移動させて本体に対してパネルを着脱自在にした構成とすることができる。
【図面の簡単な説明】
【００４１】
【図１】本発明の実施形態の一例である照明器具の半断面側面図である。
【図２】上記照明器具に備えられる本体側支持部材及びパネル側支持部材の構成を示す断面図である。
【図３】上記照明器具に用いられる取付金具の平面図、側面図、底面図及び正面図である。
【図４】上記照明装置におけるパネルの着脱作業の状態を順に説明する図である。
【符号の説明】
【００４２】
１  本体
１Ａ  取付面
１Ｂ  反射面
３  パネル（透光性パネル）
４Ａ，４Ｂ  光源
５  本体側支持部材
５Ａ  嵌入部
６  パネル側支持部材
１３  支柱
１４  支柱（係合部材）
２０  ピン
２１  凹部
【図１】
2006019117.tif 000003
【図２】
2006019117.tif 000004
【図３】
2006019117.tif 000005
【図４】
2006019117.tif 000006